【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
ネットワーク内で接続されたコンポーネントと組み合わせた、レプリカデータの検証管理システムであって、
ネットワークのためのレプリカデータポリシーにして、少なくとも、ネットワーク内のストレージコンポーネントに記憶されたレプリカデータボリュームのためのリカバリーポイント時間（ａｇｅ）条件及びアクセス経路条件、を指定するレプリカデータポリシーを記憶するように構成されたメモリ装置と、
コミュニケーション可能な状態下にネットワークに連結されたネットワークインターフェースにして、ネットワーク内のコンポーネントが、１つ以上のネットワークデバイスと、当該ネットワークデバイス上で実行されるアプリケーションとを含み得るネットワークインターフェースと、
メモリー装置及びネットワークインターフェースに電子的に連結したレプリカデータ検証マネージャにして、
ネットワークインターフェースを使用して、レプリカデータボリュームと関連するアクセス経路セットにして、該セットにおけるアクセス経路が、レプリカデータボリュームと、ネットワーク内のコンポーネントとの間のデータフローパスを表すアクセス経路セットを監視し、
ネットワークインターフェースを使用して、ネットワーク内のデータ複製を監視し、該監視が、レプリカデータボリュームがネットワーク内のストレージコンポーネントに記憶されたソースデータボリュームを表したスナップショット時間を識別することを含み、
レプリカデータボリュームの、スナップショット時間からの経過時間を表すリカバリーポイントの時間を算出し、
算出したリカバリーポイント時間をリカバリーポイント時間条件と比較し、
レプリカデータボリュームに関連するアクセス経路セットをアクセス経路条件と比較し、
レプリカデータポリシーの条件が違反のものであった場合に違反を通知する、
如く構成されるレプリカデータの検証管理システム。
【請求項２】
レプリカデータポリシーが、ホストとレプリカデータボリュームとの間の要求アクセス経路、アプリケーションとレプリカデータボリュームとの間の要求アクセス経路、ソースデータボリュームを表すレプリカデータボリュームの要求数、レプリカデータボリュームの要求位置、ソースデータボリュームを表す複数のレプリカデータボリューム間の１つ以上の要求アクセス経路、の少なくとも１つを規定することを更に含む請求項１のレプリカデータの検証管理システム。
【請求項３】
各レプリカデータボリュームが、同期、スナップショット時間、不一致、から選択したコピー状況（ｓｔａｔｕｓ）に関連する請求項１のレプリカデータの検証管理システム。
【請求項４】
アクセス経路条件が、ローカルホストとレプリカデータボリュームとの間のアクセス経路、リモートホストとレプリカデータボリュームとの間のアクセス経路、レプリカデータボリュームと関連する、破局的障害からの復旧用のアクセス経路、データコピー機とレプリカデータボリュームとの間のアクセス経路、の少なくとも１つを含む請求項１のレプリカデータの検証管理システム。
【請求項５】
アクセス経路条件が、アクセス経路の冗長性、アクセスパスの中間コンポーネント数、アクセスパスのパフォーマンスのレベル、の１つ以上が含まれる請求項１のレプリカデータの検証管理システム。
【請求項６】
レプリカデータ検証マネージャが、レプリカデータボリュームに関するアクセス経路セットでの、ネットワークにおける変化の効果を予測する構成を更に有する請求項１のレプリカデータの検証管理システム。
【請求項７】
アクセス経路セットを監視することが、ネットワークをグラフとして略示することを含み、グラフにおける各ノードがネットワーク内のコンポーネントを表し、グラフにおける２つのノード間の各縁部が、２つのノードにより表されるコンポーネント間のデータフロー能力を表し、データフロー能力が、２つのノードにより表されるコンポーネントの構成によって決定される請求項１のレプリカデータの検証管理システム。
【請求項８】
ネットワークにおけるコンポーネントのデータ複製を監視するための電子的方法であって、
ネットワークにおけるコンポーネントが、１つ以上のネットワークデバイスと、ネットワークデバイス上で実行されるアプリケーションとを含み得、
前記方法が、
ネットワークのためのレプリカデータポリシーにして、ネットワーク内のストレージコンポーネントに記憶させたレプリカデータボリュームのためのリカバリーポイント時間条件及びアクセス経路条件を規定するレプリカデータポリシーをメモリー装置に記憶すること、
レプリカデータボリュームに関するアクセス経路セットにして、該セットにおけるアクセス経路が、レプリカデータボリュームと、ネットワーク内のコンポーネントとの間のデータフローパスを表すアクセス経路セットを監視すること、
ネットワーク内のデータ複製を監視し、該監視が、レプリカデータボリュームがネットワーク内のストレージコンポーネントに記憶されたソースデータボリュームを表したスナップショット時間を識別することを含み、
レプリカデータボリュームの、スナップショット時間からの経過時間を表すリカバリーポイントの時間を算出し、
算出したリカバリーポイント時間をリカバリーポイント時間条件と比較し、
レプリカデータボリュームに関連するアクセス経路セットをアクセス経路条件と比較し、
レプリカデータポリシーの条件が違反のものであった場合に違反を通知すること、
を含む方法。
【請求項９】
レプリカデータポリシーが、ホストとレプリカデータボリュームとの間の要求アクセス経路、アプリケーションとレプリカデータボリュームとの間の要求アクセス経路、ソースデータボリュームを表すレプリカデータボリュームの要求数、レプリカデータボリュームの要求位置、ソースデータボリュームを表す複数のレプリカデータボリューム間の１つ以上の要求アクセス経路、の少なくとも１つを規定することを更に含む請求項８の方法。
【請求項１０】
各レプリカデータボリュームが、同期、スナップショット時間、不一致、から選択したコピー状況に関連する請求項８の方法。
【請求項１１】
アクセス経路条件が、ローカルホストとレプリカデータボリュームとの間のアクセス経路、リモートホストとレプリカデータボリュームとの間のアクセス経路、レプリカデータボリュームと関連する、破局的障害からの復旧用のアクセス経路、データコピー機とレプリカデータボリュームとの間のアクセス経路、の少なくとも１つを含む請求項８の方法。
【請求項１２】
アクセス経路条件が、アクセス経路の冗長性、アクセスパスの中間コンポーネント数、アクセスパスのパフォーマンスのレベル、の１つ以上が含まれる請求項８の方法。
【請求項１３】
レプリカデータ検証マネージャが、レプリカデータボリュームに関するアクセス経路セットでの、ネットワークにおける変化の効果を予測する構成を更に有する請求項８の方法。
【請求項１４】
アクセス経路セットを監視することが、ネットワークをグラフとして略示することを含み、グラフにおける各ノードがネットワーク内のコンポーネントを表し、グラフにおける２つのノード間の各縁部が、２つのノードにより表されるコンポーネント間のデータフロー能力を表し、データフロー能力が、２つのノードにより表されるコンポーネントの構成によって決定される請求項８の方法。